(57)【要約】【課題】  他の商品への着脱が簡単な発光装置を提供する。【解決手段】  発光装置の一端に設けられ、上面に突起部を形成し、該突起部をベースに挿入して接合部とベースを連結し、該ベース上には支持部を形成して回路ボードを固定し、該回路ボード上には開閉器と、電池を収納する電源座と、発光体を設けて電気的に接続する接合部と、透過光性の材質によってなり、透過部とベースの上部を連結して回路ボードを透過部内に収納し、開閉器の押しボタン端１を透過部の外側に突出させ、透過部の上にはカバーを設け、かつカバーを開閉器の押しボタン端１上に嵌設する透過部と、キャップを利用して発光装置の他端に設け、下部が押しボタン座に接続する押しボタン部と、カバーと押しボタン座との間に設けられ、押しボタン座とカバーに弾性的に当接し、押しボタン部に上方向への付勢力を与える弾性体とによって構成する。【選択図】  図１
0003113527.tif 000002
【実用新案登録請求の範囲】
【請求項１】
接合部１と、透過部４と、押しボタン部と、弾性体７を含んでなる発光装置であって、
該接合部１は発光装置の一端に設けられ、上面に突起部１１を形成し、該突起部１１をベース２に挿入して接合部１とベース２を連結し、該ベース２上には支持部２３を形成して回路ボード３を固定し、該回路ボード３上には開閉器３１と、電池３５を収納する電源座３２と、少なくとも１以上の発光体３３を設けて電気的に接続し、
該透過部４は、透過光性の材質によってなり、透過部４とベース２の上部を連結して回路ボード３を透過部３内に収納し、開閉器３１の押しボタン端３１１を透過部４の外側に突出させ、透過部４の上にはカバー５を設け、カバー５は開閉器３１の押しボタン端３１１上に嵌設し、
該押しボタン部９は、キャップ１０を利用して発光装置の他端に設け、押しボタン部９の下部は押しボタン座８に接続し、
該弾性体７は、カバー５と押しボタン座８との間に設けられ、押しボタン座８とカバー５に弾性的に当接し、押しボタン部９に上方向への付勢力を与えるように構成することを特徴とする発光装置。
【請求項２】
前記接合部１の底面に、他の物品に該発光体を取り付けるための接続溝１２を形成することを特徴とする請求項１に記載の発光装置。
【請求項３】
前記回路ボード３がＩＣ回路回路ボードか、もしくは発光ダイオード用の回路ボードであることを特徴とする請求項１に記載の発光装置。
【請求項４】
前記電源座３２には少なくとも１以上の電池３５を収納することを特徴とする請求項１に記載の発光装置。
【請求項５】
前記カバー５の表面に突出した凸部５１を形成し、該凸部５１の一端が弾性体７を通過して押しボタン部座８の底面に形成した突起８２に当接するように構成することを特徴とする請求項１に記載の発光装置。
【請求項６】
前記発光体が該透過部４の外部表面に設けられることを特徴とする請求項１に記載の発光装置。
【考案の詳細な説明】
【技術分野】
【０００１】
本考案は、発光装置に関し、特に他の物品に取り付け、該物品の不可価値を高める発光装置に関する。
【背景技術】
【０００２】
商工業の発達と、科学技術の目覚しい進歩に伴い、市販される一般商品の有する付加価値も。消費者のニーズの多様化によって多岐に分かれるようになった。これは、単一の機能の商品に別途単一の機能を有する物件を組み合わせ、１＋１＝２の観念に基づき商品に付加価値を与える考え方である。
【０００３】
上述の考えに基づいて他の商品に組み合わされる物件で特に多用されているものに発光装置がある。例えば、傘や旗竿に発光装置を設けた商品が挙げられる。また、交通整理に用いる棒に発光体を付装して誘導灯とする例もある。
【０００４】
発光装置は、単独で用いるものと、上述するように他の物品に商品に付装するものの2種類に分けることができる。一般に発光装置を単独で使用する場合は、多くが懐中電灯としてしか使用されていない。但し、懐中電灯は、その他の物品に付装することができない。よって、付加価値の点から言えば実用性が劣る。他の物品に付装する場合、傘や旗竿などは、本来の機能以外に発光装置による発光の効果を与えることができる。また、単に交通整理や誘導するだけの棒に発光体を付装することによって、誘導灯とすることができる。
【考案の開示】
【考案が解決しようとする課題】
【０００５】
しかしながら、上述する物品に付装する発光装置は、これら物品への取り付けのみに適していて、その他物品に取り付けることができない。よって、発光装置自体の実用価値が大幅に低下する。
【０００６】
そこで、この考案は他の物品に対して、容易に付装できる発光装置を提供することを課題とする。
【課題を解決するための手段】
【０００７】
そこで、本考案者は従来の技術に見られる欠点に鑑みて鋭意研究を重ねた結果、接合部１と、透過部４と、押しボタン部と、弾性体７を含んでなる発光装置であって、
該接合部１は発光装置の一端に設けられ、上面に突起部１１を形成し、該突起部１１をベース２に挿入して接合部１とベース２を連結し、該ベース２上には支持部２３を形成して回路ボード３を固定し、該回路ボード３上には開閉器３１と、電池３５を収納する電源座３２と、少なくとも１以上の発光体３３を設けて電気的に接続し、
該透過部４は、透過光性の材質によってなり、透過部４とベース２の上部を連結して回路ボード３を透過部３内に収納し、開閉器３１の押しボタン端３１１を透過部４の外側に突出させ、透過部４の上にはカバー５を設け、カバー５は開閉器３１の押しボタン端３１１上に嵌設し、
該押しボタン部９は、キャップ１０を利用して発光装置の他端に設け、押しボタン部９の下部は押しボタン座８に接続し、
該弾性体７は、カバー５と押しボタン座８との間に設けられ、押しボタン座８とカバー５に弾性的に当接し、押しボタン部９に上方向への付勢力を与えるように構成する発光装置によって本考案の課題を解決できる点に着眼し、かかる知見に基づいて本考案を完成させた。
以下、この考案について具体的に説明する。
【０００８】
請求項１に記載する発光装置は接合部１と、透過部４と、押しボタン部と、弾性体７を含んでなる発光装置であって、
該接合部１は発光装置の一端に設けられ、上面に突起部１１を形成し、該突起部１１をベース２に挿入して接合部１とベース２を連結し、該ベース２上には支持部２３を形成して回路ボード３を固定し、該回路ボード３上には開閉器３１と、電池３５を収納する電源座３２と、少なくとも１以上の発光体３３を設けて電気的に接続し、
該透過部４は、透過光性の材質によってなり、透過部４とベース２の上部を連結して回路ボード３を透過部３内に収納し、開閉器３１の押しボタン端３１１を透過部４の外側に突出させ、透過部４の上にはカバー５を設け、カバー５は開閉器３１の押しボタン端３１１上に嵌設し、
該押しボタン部９は、キャップ１０を利用して発光装置の他端に設け、押しボタン部９の下部は押しボタン座８に接続し、
該弾性体７は、カバー５と押しボタン座８との間に設けられ、押しボタン座８とカバー５に弾性的に当接し、押しボタン部９に上方向への付勢力を与えるように構成する。
【０００９】
請求項２に記載する発光装置は、請求項１における接合部１の底面に、他の物品に該発光体を取り付けるための接続溝１２を形成する。
【００１０】
請求項３に記載する発光装置は、請求項１における回路ボード３がＩＣ回路回路ボードか、もしくは発光ダイオード用の回路ボードである。
【００１１】
請求項４に記載する発光装置は、請求項１における電源座３２には少なくとも１以上の電池３５を収納する。
【００１２】
請求項５に記載する発光装置は、請求項１におけるカバー５の表面に突出した凸部５１を形成し、該凸部５１の一端が弾性体７を通過して押しボタン部座８の底面に形成した突起８２に当接するように構成する。
【００１３】
請求項６に記載する発光装置は、請求項１における発光体が該透過部４の外部表面に設けられる。
【考案の効果】
【００１４】
この考案の発光装置は、傘、杖、交通整理用の誘導棒など他の物品への着脱が簡単であり、他の物品に発光の効果を与えると同時に、発光装置の効果を高めるという利点がある。
【実施例】
【００１５】
図１、図２、図３に図示するように、考案の発光装置は、接合部１と、透過部４と、押しボタン部と、弾性体７を含んでなる。該接合部１は発光装置の一端に設けられ、上面に突起部１１を形成し、該突起部１１をベース２に挿入して接合部１とベース２を連結する。該ベース２上には支持部２３を形成して回路ボード３を固定する。該回路ボード３上には開閉器３１と、電池３５を収納する電源座３２と、少なくとも１以上の発光体３３を設けて電気的に接続する。
【００１６】
該透過部４は、透過光性の材質によってなり、透過部４とベース２の上部を連結して回路ボード３を透過部３内に収納する。開閉器３１の押しボタン端３１１を透過部４の外側に突出させる。また、透過部４の上にはカバー５を設ける。カバー５は開閉器３１の押しボタン端３１１上に嵌設する。
【００１７】
該押しボタン部９は、キャップ１０を利用して発光装置の他端に設ける。押しボタン部９の下部は押しボタン座８に接続する。
【００１８】
弾性体７は、カバー５と押しボタン座８との間に設けられ、押しボタン座８とカバー５に弾性的に当接し、押しボタン部９に上方向への付勢力を与える。
【００１９】
この考案の発光装置は、以上の部材によって構成され、傘、杖、交通整理用の誘導棒などに対して容易に着脱でき、かつこれら物品に対して発光の効果を与えることができる。
【００２０】
接合部１の底面には接続溝１２を形成する、よって、傘、杖、交通整理用の誘導棒などに発光装置を取り付ける場合、確実に接続することができる。また、回路ボード３は、ＩＣ回路回路ボードであってもよく、電源座３２には少なくとも１以上の電池３５を収納する。また、カバー５の表面には突出した凸部５１を形成する。凸部５１は、一端が弾性体７を通過して押しボタン部座８の底面に形成した突起８２に当接する。カバー５には雨水などの浸入を防ぐ防水パット６を嵌着する。
【００２１】
この考案の発光装置を組み立てる場合、先ず接合部１の突起部１１の外周に形成した外部ネジ山１１１をベース２の底部２２の内壁に形成した内部ネジ山２２１に螺合させ、回路ボード３の表面に穿設した３つの固定孔３４に支持部２３に３本形成した固定端２３１を挿通させて固定する。
【００２２】
次にベース２の凸部２１に形成した外部ネジ山２１１を透過部４の内部４２の内壁に形成した内部ネジ山４２１に螺合させて、回路ボード３の上部に設けられた開閉器３１と、電池３５を収納する電源座３２と、３つの発光体３３を透過部４内に設ける。この場合、開閉器３１の押しボタン端３１１が透過部４の突起部４１に形成された貫通孔４１２を挿通する。
【００２３】
次いで、カバー５を開閉器３１の押しボタン端３１１に嵌着し、防水パット６をカバー５に設け、弾性体７を防水パット６上に嵌着する。押しボタン座８は弾性体７上に設けて、カバー５の凸部５１の一端が弾性体７を通過して押しボタン座８の底部の突起８２に当接するよう構成する。さらに押しボタン部９の内側で下方向に突出して形成された接合端９１を押しボタン座８の表面に形成された凹孔８１に嵌挿する。最後にキャップ１０の内部ネジ山１０１に透過部４の突起部４１の外部ネジ山４１１を螺合させ、押しボタン座８、押しボタン部９をキャップ１０の内部に設ける。この場合、押しボタン座８から外側に突出して形成された突部８３がキャップ１０の内側に当接するため、押しボタン部９の上端がキャップ１０に形成された貫通孔１０２の外に突出する。
【００２４】
図３に開示するように、使用者が押しボタン部９を押していない場合、回路ボード３の上部に設けられた開閉器３１は通電していない。よって発光体３３は発光せず、オフの状態にある。押しボタン部９を押圧すると、図４に開示するように、押しボタン座８、弾性体７、防水パット６、カバー５が下方向に押され、カバー５の凸部５１の下に設けられた開閉器３１の押しボタン端３１１に接触して導電し、発光体３３が発光し、オンの状態となる。この場合、弾性体７の付精力によって押しボタン座８、押しボタン部９が本来の位置に復帰する。使用者が再度押しボタン部９を押圧すると、発光体３３の発光が停止し、再びオフの状態となる。
【００２５】
この考案の発光体３３は、実施例の円形のＬＥＤ以外に、図５に開示するような表面実装型発光ダイオード（以下ＳＭＤダイオードと称する）、方形ＬＥＤなど各種発光ダイオードを使用してもよい。ＳＭＤダイオードは、直接開閉器３１に接続して側面に設けることができる。また、図６に開示するように、発光体３３（ＳＭＤ発光ダイオード）を透過部４の表面に設けてもよい。この場合発光体３３が押しボタン式の開閉器となり、発光体３３をするとオンの状態になり発光し、再度押し圧すると、発光体３の発光が停止してオフの状態となる。このように、この考案においては、発光体３３の応用を多様化させることができる。
【００２６】
この考案による発光体は、多種の用途に用いられる各種物品に取り付けることができる。例えば図７、図８、図９に開示するように、傘２０の頭部２０１、杖３０のグリップ部３０１、交通整理用の誘導棒４０の頭部４０１など取り付け、物品の利用価値を高めることができる。
【００２７】
以上は、この考案の好ましい実施例であって、この考案の実施の範囲を制限するものではない。よって、当業者のなし得る変更、もしくは修正であって、この発明の精神の下においてなされ、かつ均等の効果を有するものは、いずれも考案の実用新案登録の範囲に属するものとする。
【図面の簡単な説明】
【００２８】
【図１】この考案の発光装置の構造を示した分解図である。
【図２】図１に開示する発光装置の側面図である。
【図３】図１に開示する発光装置の断面図である。
【図４】図１に開示する発光装置のボタンが押された場合の状態を示した断面説明図である。
【図５】この考案の発光装置の他の実施形態を示した側面図である。
【図６】この考案の発光装置を外部に設けた実施形態を示した側面図である。
【図７】この考案の発光装置を傘に取り付けた使用態様を示した説明図である。
【図８】この考案の発光装置を杖に取り付けた使用態様を示した説明図である。
【図９】この考案の発光装置を交通整理用の誘導棒に取り付けた使用態様を示した説明図である。
【符号の説明】
【００２９】
１        接合部
１０      キャップ
１０１    内部ネジ山
１０２    貫通孔
１１      突起部
１１１    外部ネジ山
１２      接続溝
２        ベース
２０      傘
２０１    頭部
２１      凸部
２１１    ネジ溝
２２      底部
２２１    内部ネジ山
２３      支持部
２３１    固定端
３        回路ボード
３０      杖
３０１    グリップ部
３１      開閉器
３１１    ボタン端
３２      電源座
３３      発光体
３４      固定孔
３５      電池
４        透過部
４０      誘導棒
４０１    頭部
４１      突起部
４１１    外部ネジ山
４１２    貫通孔
４２      内部
４２１    内部ネジ山
５        カバー
５１      凸部
６        防水パット
７        弾性体
８        ベース
８１      凹孔
８２      突起
８３      突部
９        押しボタン部
９１      接合端
【図１】
0003113527.tif 000003
【図２】
0003113527.tif 000004
【図３】
0003113527.tif 000005
【図４】
0003113527.tif 000006
【図５】
0003113527.tif 000007
【図６】
0003113527.tif 000008
【図７】
0003113527.tif 000009
【図８】
0003113527.tif 000010
【図９】
0003113527.tif 000011